(57)【要約】      （修正有）【課題】無線通信を利用して外部機器との間で非接触による情報のやり取りを行うＲＦＩＤタグであって、物品等の被着体に貼り付けた際にも十分な粘着力を発揮して容易に剥がれることがなく、しかも簡単な構成であって、アンテナ感度も良好であり、製造コスト及び販売コストの低減にも有益であるＲＦＩＤタグを提供する。【解決手段】上質紙又は合成樹脂シートによるラベル基材２の面上に塗布した糊剤３ａ，３ｂを介して導電性を有する金属薄膜４が貼り付けられ、該金属薄膜の面上に糊剤を介して剥離紙５が貼り付けられた積層体９をラベル基材の側から所定形状の刃型で所定のアンテナ形状に打ち抜いてなるＲＦＩＤアンテナにＩＣチップを接続した構成を有し、該ＲＦＩＤアンテナの剥離紙を剥がすことによって露呈した糊面を被着体に貼り付けるようにした。【選択図】図２
0003166843.tif 000002
【実用新案登録請求の範囲】
【請求項１】
上質紙又は合成樹脂シートによるラベル基材の面上に塗布した糊剤を介して導電性を有する金属薄膜が貼り付けられ、該金属薄膜の面上に糊剤を介して剥離紙が貼り付けられた積層体をラベル基材の側から所定形状の刃型で所定のアンテナ形状に打ち抜いてなるＲＦＩＤアンテナにＩＣチップを接続した構成を有し、該ＲＦＩＤアンテナの剥離紙を剥がすことによって露呈した糊面を被着体に貼り付けるようにしたことを特徴とするＲＦＩＤタグ。
【請求項２】
第１の剥離紙の面上に保護膜を被覆し、該保護膜の面上に塗布した糊剤を介して導電性を有する金属薄膜が貼り付けられ、該金属薄膜の面上に糊剤を介して第２の剥離紙が貼り付けられた構成の積層体を第１の剥離紙又は第２の剥離紙の側から所定形状の刃型で所定のアンテナ形状に打ち抜いてなるＲＦＩＤアンテナにＩＣチップを接続した構成を有し、該ＲＦＩＤアンテナの第２の剥離紙を剥がすことによって露呈した糊面を被着体に貼り付けると共に、第１の剥離紙を剥がすことによってＲＦＩＤアンテナの最上層を糊剤の上層の保護膜で被覆した状態にすることを特徴とするＲＦＩＤタグ。
【考案の詳細な説明】
【技術分野】
【０００１】
本考案は、無線通信を利用して外部機器との間で非接触による情報のやり取りを行うＲＦＩＤタグに関する。
【背景技術】
【０００２】
従来、リーダライタに代表される外部機器との間で、電波による無線通信を利用して非接触で情報のやり取りを行うＲＦＩＤ（Radio  Frequency  Identification）タグが提案されている。このＲＦＩＤタグとは電波方式認識タグを云うものであり、ＩＤ情報を埋め込んだＲＦＩＤタグから、電磁界や電波などを用いた近距離の無線通信によって情報をやりとりするものである。
【０００３】
このＲＦＩＤタグの一種として、プラスチックや紙等からなるラベル上に電波通信用のアンテナパターンとＩＣチップが搭載されたものが提案されている。このようなＲＦＩＤタグは、物品などに貼り付けられ、その物品に関する情報等を外部機器と非接触でやり取りすることによって、物品の自動識別、所在確認、追跡、履歴情報等の書き込みや読み込みを可能とするものである。
【０００４】
さらに、近年になって、上記のＲＦＩＤタグの改良品として、ＲＦＩＤ機能を有するＲＦＩＤインレットをラベルの粘着部に貼り付けたインレット型のＲＦＩＤタグが開発されている。ここで、ＲＦＩＤインレットとは、ＩＣタグ製品を構成する基本的部品を言うものであり、一般的にはＩＣチップとアンテナから構成されたものであるが、これをカード型やシール型などの形状に加工して、実際の用途に応じたＩＣタグ製品を作成することになる。
【０００５】
また、上記のＲＦＩＤタグの従来技術として、特許文献１に、ＲＦＩＤデータ記憶素子保持ラベルについての構造が記載されている。この文献に記載されている構造は、ラベルの粘着部にＲＦＩＤインレットを単に貼り付けたものであるため、ＲＦＩＤインレットがずれ落ちてしまうという問題があった。また、このＲＦＩＤタグを物や人に貼り付けた場合、ＲＦＩＤインレットを貼り付けた箇所以外の粘着部のみを使用して貼り付けることになり、十分な粘着力を期待することができないものであった。
【０００６】
また、このような問題点を解消するために開発された特許文献２の「ラベルへのＲＦＩＤインレット装着方法及びＩＤラベル」は、上層ラベル及び下層ラベルの間にＲＦＩＤインレットを装着する方法である。具体的には、ラベル部と粘着部と剥離紙を有する上層ラベルと下層ラベルとを用意し、上層ラベルの剥離紙の一部を剥がす工程と、剥離紙を剥がすことで露出した粘着部を下層ラベルのラベル部に貼り付ける工程と、上層ラベル及び下層ラベルがＲＦＩＤタグの型になるように、かつ下層ラベルの剥離紙のみを残すように切り抜き加工をする工程と、ＲＦＩＤインレットを下層ラベルのラベル部上に載せる工程と、上層ラベルの剥離紙の剥がされていない部分を剥がす工程と、剥離紙を剥がすことで露出した粘着部を下層ラベルのラベル部及びＲＦＩＤインレットに貼り付ける工程とを有するものである。
【先行技術文献】
【特許文献】
【０００７】
【特許文献１】特開２００２−７２８８６号公報
【特許文献２】特開２００６−１４５６０９号公報
【考案の概要】
【考案が解決しようとする課題】
【０００８】
ところが、上記の特許文献２のＲＦＩＤタグの装着方法は、多数の工程を有するため、製造が面倒であって、作製されたＲＦＩＤタグがコスト高となるおそれがある。また、物や人に貼り付けた状態で上層ラベルのラベル部と粘着部、及び下層ラベルのラベル部と粘着部とが重ねられ、これら４層の厚さを有する層内にＲＦＩＤインレットが装着された構造となるため、過剰な材料を要するものであった。
【０００９】
また、以上の他にも種々のＲＦＩＤタグの構造は存在するが、概ねは、合成樹脂シート等からなる少なくとも２層のラベル間にＲＦＩＤインレットを介在したものであり、このＲＦＩＤタグを被着体に貼り付けるために、ＲＦＩＤタグの下面に糊剤層を設けると共に、この糊剤層に剥離紙を付着して保護するものであった。
【００１０】
本考案は、上記の事情に鑑みてなされたもので、無線通信を利用して外部機器との間で非接触による情報のやり取りを行うＲＦＩＤタグであって、物品等の被着体に貼り付けた際にも十分な接着力を発揮して容易に剥がれることがなく、しかも簡単な構成であって、アンテナ感度も良好であり、製造コスト及び販売コストの低減にも有益であるＲＦＩＤタグを提供する。
【課題を解決するための手段】
【００１１】
上記の目的を達成するために、本考案による請求項１のＲＦＩＤタグは、上質紙又は合成樹脂シートによるラベル基材の面上に塗布した糊剤を介して導電性を有する金属薄膜が貼り付けられ、該金属薄膜の面上に糊剤を介して剥離紙が貼り付けられた積層体をラベル基材の側から所定形状の刃型で所定のアンテナ形状に打ち抜いてなるＲＦＩＤアンテナにＩＣチップを接続した構成を有し、該ＲＦＩＤアンテナの剥離紙を剥がすことによって露呈した糊面を被着体に貼り付けるようにしたことを特徴とする。
【００１２】
また、本考案による請求項２のＲＦＩＤタグは、第１の剥離紙の面上に保護膜を被覆し、該保護膜の面上に塗布した糊剤を介して導電性を有する金属薄膜が貼り付けられ、該金属薄膜の面上に糊剤を介して第２の剥離紙が貼り付けられた構成の積層体を第１の剥離紙又は第２の剥離紙の側から所定形状の刃型で所定のアンテナ形状に打ち抜いてなるＲＦＩＤアンテナにＩＣチップを接続した構成を有し、該ＲＦＩＤアンテナの第２の剥離紙を剥がすことによって露呈した糊面を被着体に貼り付けると共に、第１の剥離紙を剥がすことによってＲＦＩＤアンテナの最上層を糊剤の上層の保護膜で被覆した状態にすることを特徴とする。
【考案の効果】
【００１３】
本考案による請求項１のＲＦＩＤタグは、上質紙又は合成樹脂シートによるラベル基材の面上に塗布した糊剤を介して導電性を有する金属薄膜が貼り付けられると共に、該金属薄膜の面上に糊剤を介して剥離紙が貼り付けられた積層体をラベル基材の側から所定形状の刃型で所定のアンテナ形状に打ち抜いてなるＲＦＩＤアンテナにＩＣチップを接続した構成を有するものである。
【００１４】
従って、上記の構成においては、所定のアンテナ形状に打ち抜くように設計した刃型を使用することによって、所定のアンテナ形状を有するＲＦＩＤアンテナを量産することが可能となる。また、本考案のＲＦＩＤタグを使用する際、剥離紙を剥がすことによって、金属薄膜の片面に糊剤が露呈し、この糊剤を用いて、物品等の被着体に貼り付けることが可能となる。このように、本考案のＲＦＩＤタグは、別途、接着剤層を設けなくても、十分な付着力で容易に被着体に貼り付けることが可能となり、取付け作業を容易にすると共に、製品コストの低減にも有益となる。
【００１５】
さらに、ＲＦＩＤタグのＲＦＩＤアンテナの材料として導電性の金属薄膜を使用することにより、送受信の感度に優れたＲＦＩＤタグを構成することが可能となる。
【００１６】
また、本考案による請求項２のＲＦＩＤタグのように、上質紙又は合成樹脂シートによるラベル基材の代わりに、第１の剥離紙を用いた構成のＲＦＩＤタグとすることができる。このＲＦＩＤタグによれば、使用時において、第２の剥離紙を剥がすことによって露呈したＲＦＩＤアンテナの糊面を被着体に貼り付けると共に、第１の剥離紙を剥がすことによって、ＲＦＩＤアンテナの最上層の糊剤を保護膜で被覆した状態にすることが可能となる。
【００１７】
従って、物品等の被着体に貼り付けたＲＦＩＤタグのアンテナ部分は、金属薄膜が上下の糊剤で挟まれた構成となり、上層の糊剤はその面上の保護膜で被覆されているため、アンテナ形状が露呈した状態で表面にべたつきのない、簡易な構成のアンテナ構造とすることが可能となる。
【図面の簡単な説明】
【００１８】
【図１】本考案によるＲＦＩＤタグの平面図である。
【図２】（ａ）は本考案の実施例１のＲＦＩＤタグに関する積層体を分解した状態を示し、（ｂ）はＲＦＩＤタグの積層体を示す断面図である。これらの図は、図１のＡ−Ａ矢示線で切断した箇所の断面状況に相当する。
【図３】（ａ）〜（ｃ）は、本考案の実施例１におけるＲＦＩＤタグの製造工程を示す断面図であり、図１のＢ−Ｂ矢示線で切断した箇所の断面状況に相当する。
【図４】（ａ）は本考案の実施例２のＲＦＩＤタグに関する積層体を分解した状態を示し、（ｂ）はＲＦＩＤタグの積層体を示す断面図である。これらの図は、図１のＡ−Ａ矢示線で切断した箇所の断面状況に相当する。
【図５】（ａ）〜（ｄ）は、本考案の実施例２におけるＲＦＩＤタグの製造工程を示す断面図であり、図１のＢ−Ｂ矢示線で切断した箇所の断面状況に相当する。
【考案を実施するための形態】
【００１９】
以下、本考案の実施例について図面を参照しながら説明する。
【実施例１】
【００２０】
本実施例のＲＦＩＤタグ１は、図２（ｂ）に示すように、上質紙又は合成樹脂シートによるラベル基材２の面上に塗布した糊剤３ａを介して導電性を有する金属薄膜４が貼り付けられ、該金属薄膜４の面上に糊剤３ｂを介して剥離紙５が貼り付けられた積層体９をラベル基材２の側から所定形状の刃型６で所定のアンテナ形状に打ち抜いてなるＲＦＩＤアンテナ７（図１参照）にＩＣチップ８を接続した構成を有するものである。
【００２１】
上記の本実施例の構成について詳細に述べると、図２(ａ)、（ｂ）に示すように、上質紙又は合成樹脂シートによるラベル基材２の面上に塗布した糊剤３ａを介して導電性を有する金属薄膜４が貼り付けられる。この構成において、ラベル基材２の材料としては、上質紙、又はプラスチックフィルム、ＰＥＴ、ポリイミド、ポリプロピレン等の可撓性プラスチックフィルム等を用いることが可能である。また、ラベル基材２に上質紙を用いた場合、糊剤の浸透を防止するために、圧縮した用紙を用いるか、または用紙の面上に糊剤の浸透を防止する被覆を施すようにしてもよい。
【００２２】
また、導電性を有する金属薄膜４は、導電性カーボンを１μｍ以上の薄膜に形成したものを用いるとよい。また、他の金属薄膜４の材料として、銅、スズ、鉛、銀、金、白金、アルミニウム、ニッケル、鉄、鋼、亜鉛、および合金、ならびにそれらの組み合わせからなる金属薄膜を形成してもよい。
【００２３】
また、糊剤としてはホットメルト系の熱可塑性樹脂接着剤等を用いることによって、熱で溶解塗付し、急速に温度低下させることにより、高速接着が可能となる。また、ホットメルト系の熱可塑性樹脂糊剤の使用により、溶剤を必要としないために安全性を図ることが可能となり、さらには、生産性のアップ、省力化、及びトータルなコストダウン等を図ることが可能となる。
【００２４】
ここで、本実施例のＲＦＩＤタグ１を製造する方法について一例を述べる。図２（ａ）、（ｂ）に示すように、上質紙又は合成樹脂シートによるラベル基材２の面上に塗布した糊剤３ａを介して導電性カーボン等の金属薄膜４を貼り付け、この金属薄膜４の面上に糊剤３ｂを介して剥離紙５を貼り付けた積層体９を構成する。次いで、図３（ａ）に示すように、ラベル基材２の側から所定形状の刃型６で所定のアンテナ形状に打ち抜くことによって、図３（ｂ）に示す断面状況のＲＦＩＤアンテナ７を得ることができる。
【００２５】
そのＲＦＩＤアンテナ７のアンテナ形状は図３（ａ）において用いた打ち抜き用の型の形状を変更することによって所望の形状に設定することが可能であり、図１に示すアンテナ形状に限定されるものではない。
【００２６】
また、このように製造したＲＦＩＤアンテナ７に、図１に示すようにＩＣチップ８を接続することによって、本実施例のＲＦＩＤタグ１を得ることができる。
【００２７】
上記のＲＦＩＤタグ１を使用するには、図３(ｃ)に示すように、ＲＦＩＤタグ１の剥離紙５（図３（ａ）参照）を剥がすことによって露呈した糊剤３ｂの糊面を物品等の被着体１０に貼り付けることによって、アンテナ形状が露呈した状態での使用が可能となる。
【００２８】
なお、図１に示すＩＣチップ８は、ＩＣメモリと通信回線からなるＣＭＯＳチップを用い、対応するリーダライタにより読み書きすることにより、無線を通じて誘電され、通信を行うことができるものを使用している。
【００２９】
従って、本考案によるＲＦＩＤタグ１の用途としては、このタグを様々な物品や人に取り付け、それらの位置や動きをリアルタイムで把握するということに運用することも可能である。
【００３０】
また、本考案のＲＦＩＤタグ１は、リーダからの電波をエネルギー源として動作することができるため、電池を内蔵する必要がなく、非常に薄型のタグを構成することが可能となる。さらに、ＲＦＩＤアンテナ７はリーダからの電波の一部を反射するが、ＩＤ情報はこの反射波に乗せて返される。この際、反射波の強度は非常に小さいため、パッシブタグの受信距離は比較的短くなるが、本考案のように、ＩＣチップ８の外部にＲＦＩＤアンテナ７を取り付けた場合、ＩＣチップ８そのものにアンテナが埋め込まれている場合に比べると、大幅に通信可能距離を伸ばすことが可能となる。
【００３１】
従って、本考案のＲＦＩＤタグ１は、産業上の多方面において利用可能である。例えば、物流、流通、製造などの分野においては、ＲＦＩＤラベルを商品等などに貼り付けることにより、それらの在庫や入出荷等の管理をすることができる。また、セキュリティを要する分野においては、ＲＦＩＤラベルを社員証などに取り付けることにより、正社員の入退室などを管理することができる。さらに、ＲＦＩＤラベルをイベントの入場券などに取り付けることにより、イベント会場への入場管理や売り上げ管理等をすることも可能である。
【実施例２】
【００３２】
本実施例のＲＦＩＤタグ１は、図４（ａ）、（ｂ）に示すように、第１の剥離紙５ｂの面上に保護膜１１を被覆し、該保護膜１１の面上に塗布した糊剤３ｂを介して導電性を有する金属薄膜４が貼り付けられ、該金属薄膜４の面上に糊剤３ａを介して第２の剥離紙５ａが貼り付けられた構成の積層体９を形成する。そして、この積層体９に対して、図５（ａ）に示すように、第１の剥離紙５ｂ又は第２の剥離紙５ａの側から所定形状の刃型６で所定のアンテナ形状に打ち抜いてなるＲＦＩＤアンテナ７を形成して、図１に示すように、ＩＣチップ８を接続した構成としたものである。
【００３３】
この実施例２のＲＦＩＤタグ１は、上記の実施例１のＲＦＩＤタグ１の上質紙又は合成樹脂シートによるラベル基材２の代わりに、第１の剥離紙５ｂを用いたものであり、第１の剥離紙５ｂの面上に保護膜１１を被覆してある。このため、使用時において、図５（ｂ）、（ｃ）、（ｄ）に示すように、第２の剥離紙５ａを剥がすことによって露呈したＲＦＩＤアンテナ７の糊剤３ａの糊面を被着体１０に貼り付けると共に、第１の剥離紙５ｂを剥がすことによって、ＲＦＩＤアンテナ７の最上層を糊剤３ｂの保護膜１１で被覆した状態にすることが可能となる。なお、この保護膜１１としては、ニス材の塗布や薄厚のフィルムや薄厚のシリコン等を被覆することによって形成することが可能である。
【００３４】
本実施例の上記の構成において、金属薄膜４、糊剤３ａ、３ｂ、ＩＣチップ８等については同様の材料又は構成部材を使用することが可能であり、使用方法、さらには使用の効果も同様である。ただし、この実施例２においては、実施例１の上質紙又は合成樹脂シートによるラベル基材２の代わりに第１の剥離紙５ｂを用いてあるため、この第１の剥離紙５ｂを剥がし取ることによって、物品等の被着体１０に貼り付けたＲＦＩＤタグ１のアンテナ部分は、金属薄膜４が上下の糊剤３ａ、３ｂで挟まれた構成となり、上層の糊剤３ａはその面上の保護膜１１で被覆されているため、アンテナ形状が露呈した状態で表面にべたつきのない、簡易な構造のアンテナ形状とすることが可能となる。
【００３５】
また、本考案は、上記の実施例１又は２の他に、所定のアンテナ形状を印刷で形成してこれに糊剤を介して金属薄膜を貼り付けた後、所定形状の刃型で打ち抜いてアンテナ形状に形成した構成とすることも可能である。このとき、上記の印刷の反対側の金属薄膜の面に糊剤を設けることによって被着体に対する接着を行うことが可能となる。
【産業上の利用可能性】
【００３６】
本考案のＲＦＩＤタグは、無線通信を利用して外部機器との間で非接触による情報のやり取りを行うＲＦＩＤタグであって、物品等の被着体に貼り付けた際にも十分な粘着力を発揮して容易に剥がれることがなく、しかも簡単な構成であって、アンテナ感度も良好であり、製造コスト及び販売コストの低減にも有益であるＲＦＩＤタグとして利用可能である。
【符号の説明】
【００３７】
１  ＲＦＩＤタグ
２  ラベル基材
３ａ  糊剤
３ｂ  糊剤
４  金属薄膜
５  剥離紙
５ａ  第２の剥離紙
５ｂ  第１の剥離紙
６  刃型
７  ＲＦＩＤアンテナ
８  ＩＣチップ
９  積層体
１０  被着体
１１  保護膜
【図１】
0003166843.tif 000003
【図２】
0003166843.tif 000004
【図３】
0003166843.tif 000005
【図４】
0003166843.tif 000006
【図５】
0003166843.tif 000007